(57)【要約】【課題】従来の構成では、フィルタ清掃に手間や時間がかかったり、自動清掃ユニットが大きくなるため空調機本体も大きくなるという課題を有していた。【解決手段】天井埋め込み型空気調和機においてごみ除去手段としてフィルタ上を移動するごみ吸引部と吸引送風機を連結する吸引ダクトで構成し、かつ吸引ダクト、送風機、ごみ収納部は、パネル内のフィルタの外側スペースに設けられているため、最小限の通風抵抗に抑えることができ、送風性能に影響せず、かつ、パネルおよび本体の寸法も大きくしなくても良い構成になっている。【選択図】  図１
2004340507.tif 000002
【特許請求の範囲】
【請求項１】
天井板内に吊り下げ固定され、前記天井板に設けられた開口部に吸い込み口と吹き出し口を臨ませたパネルを有し、吸い込み口と吹き出し口とをむすぶ空気通路にフィルタと熱交換器と送風ファンとをそれぞれ設けるとともに、前記フィルタ上のごみを除去するごみ除去手段と、前記ごみ除去手段により除去されたごみを収納するごみ収納部とからなる天井埋め込み型空気調和機において、前記ごみ除去手段として前記フィルタ上を移動するごみ吸引部と吸引送風機を連結する吸引ダクトで構成していることを特徴とした空気調和機。
【請求項２】
前記ごみ吸引部にブラシ部を設けた請求項１に記載の空気調和機。
【請求項３】
前記ごみ吸引部において吸い込みノズル穴とブラシが隣接するように配列されたことを特徴とする請求項１に記載の空気調和機。
【請求項４】
前記吸引ダクト部を伸縮自在であることを特徴とする請求項１に記載の空気調和機。
【請求項５】
前記ごみ除去手段である前記吸引ダクト、前記ごみ吸引送風機、前記ごみ収納部は、前記パネル内で前記フィルタの外側スペースに設けられている請求項１に記載の空気調和機。
【請求項６】
前記ごみ吸引部および吸引ダクトおよびごみ収納部の少なくとも１部に抗菌処理が内部に施してある請求項１に記載の空気調和機。
【発明の詳細な説明】
【０００１】
【発明の属する技術分野】
本発明は、天井埋め込み型空気調和機に係わり、フィルタ上のごみを自動的に清掃するフィルタ清掃機能に関する。
【０００２】
【従来の技術】
従来の空気調和機は、図３に示すようにフィルタ１３をユーザーの手によって本体の前面パネル７から抜き出して洗浄し、再度ユーザーの手によって本体の前面パネルの内側に挿入していた。（例えば特許文献１参照）
一方、フィルタの清掃が容易な空気調和機のエアフィルタ装置として図４に示すようにフィルタブラシ４０を、回転ブラシと、回転ブラシを下方から覆うブラシカバー４３とで構成する。回転ブラシの両端部にはピニオン４２を設ける。
【０００３】
また、ブラシカバー４３には吸引口４５を設ける。一方、ラック状に形成された支持レール５０を、吹出口１６の両側部に１本ずつ設ける。フィルタブラシ４０を、ピニオン４２と支持レール５０とが係合するように設ける。そして、フィルタブラシ４０を動かすと回転ブラシが回転し、エアフィルタ１７からほこり等を除去する。また、エアフィルタ１７から除去されたほこり等を吸引口４５から掃除機のノズル等で吸引して排出するといったものがあった。（例えば特許文献２参照）
【０００４】
【特許文献１】
特開平１１−１５９８５４号公報（第１図）
【特許文献２】
特開平１１−２２６３３１号公報（第１図、第２図、第３図）
【０００５】
【発明が解決しようとする課題】
しかしながら、空気調和機が通常は部屋の高所に設置されていることから、高齢者や女性にとってフィルタの着脱が高所作業となって困難を極めたり、フィルタを洗浄する作業自体が敬遠されやすいという問題があった。特に天井に埋め込まれたタイプにおいては非常な手間と労力を要する。
【０００６】
また、掃除機のノズル等を使っての労力や時間に負担がかかるといった問題があり、また、定期的にメンテナンスがなされなかった場合は、フィルタに塵埃が堆積し、吸い込み空気の通風抵抗が増大するため空気調和機の性能が低下し、消費電力が増大するという課題があった。
【０００７】
本発明はこのような従来の課題を解決するものであり、フィルタ上のごみを自動的に清掃するフィルタ清浄機能付の天井埋め込み型空気調和機を提供することを目的とする。
【０００８】
【課題を解決するための手段】
上記課題を解決するために本発明の天井埋め込み型空気調和機は、天井板内に吊り下げ固定され、前記天井板に設けられた開口部に吸い込み口と吹き出し口を臨ませ、吸い込み口と吹き出し口とをむすぶ空気通路にフィルタと熱交換器と送風ファンとをそれぞれ設けるとともに、前期フィルタ上のごみを除去するごみ除去手段と、同ごみ除去手段により除去されたごみを収納するごみ収納部とからなる天井埋め込み型空気調和機であって、前記ごみ除去手段として前記フィルタ上を移動するごみ吸引部と吸引送風機を連結する吸引ダクトで構成している。
【０００９】
また、前記ごみ吸引部にブラシ部を設けた構成になっている。
【００１０】
また、前記ごみ吸引部において吸い込みノズル穴とブラシが隣接するように配列された構成になっている。
【００１１】
また、前記吸引ダクト部を伸縮自在にする構成になっている。
【００１２】
また、前記吸引ダクト、ごみ吸引用送風機、前記ごみ収納部は、前記パネル内で前記フィルタの外側スペースに設けられている。
【００１３】
また、前記ごみ吸引部および吸引ダクトおよびごみ収納部の少なくとも１部に抗菌処理が内部に施している構成になっている。
【００１４】
これら構成によって、コンパクトでかつ自動的に清掃するフィルタ清浄機能を実現しメンテナンスが比較的に手間が要らず、シンプルかつ清潔なフィルタのごみ処理が可能となる。
【００１５】
【発明の実施の形態】
以下本発明の実施の形態について図面を参照して説明する。
【００１６】
（実施の形態１）
図１および図２は本実施例にかかる天井埋め込み型空気調和機のフィルタ清掃装置の構造を示すものである。
【００１７】
図１は平面図であり、図２は図１のＡ−Ａ断面における側面図である。
【００１８】
図１および図２において、１は吸い込み口と吹き出し口が同面上にある化粧パネル、２は空気中のごみを取り除くフィルタ、ごみ除去手段として３はごみ吸引部で、前記ごみ吸引部３は複数のノズル穴６とブラシ５からなる構成になっている。４はごみ吸引部３を誘導する固定レールである。７はごみ吸引部３と連結する吸い込みダクトで他端は伸縮自在な吸い込みダクト８とも連結している。９は伸縮自在な吸い込みダクトと連結している送風機で、前記送風機９の吹き出し側は１０のごみ収納部と連結している。
【００１９】
空気調和時、室内の空気は前記化粧パネル１の吸い込み口を通り前記フィルタ２にて空気中のごみを取る。ごみ除去手段として、フィルタ２に付着したごみは定期的に作動する送風機９に連動したごみ吸引部３によって回収される。その際ごみ吸引部３は固定レール４に沿って、フィルタ２全面を清掃する。ごみ吸引部３の移動方向は上下方向、左右方向どちらでもどちらでも良い。
【００２０】
フィルタ２のごみは移動するごみ吸引部３に設けられたブラシ５でかき集められた後、ノズル穴６に吸引される。ノズル穴６とブラシ５が交互に設置されているため、ブラシ５でフィルタ２から離れたごみはすぐノズル穴６に吸引され、効率的に清掃される。ノズル穴６とブラシ５の位置関係は常に隣り合わせ成るように設置されてもよいし、並列に２列に設置されても良い。
【００２１】
回収されたごみは、吸引ダクト７を通り、伸縮自在な吸引ダクト８を介して送風機９に吸い込まれる。その際吸引ダクト８は伸縮自在なので、ごみ吸引部３の動きに応じて伸縮する。これにより、より広い範囲にごみ吸引部３を動かすことが出来、ごみを採集する事が出来る。
【００２２】
送風機９に吸い込まれたごみは、その後連結しているごみ収納部１０に送り込まれ、そこで、回収・収納される。ごみ収納部１０は着脱可能としている。
【００２３】
ごみがいっぱいになると、センサーが働き、お知らせ機能が働き、その後ごみ収納部１０だけがはずされ、ごみは処分される。その後空になったごみ収納部１０は元の位置に着けられる。なお、前記ごみ吸引部３および吸引ダクト７，８およびごみ収納部１０の少なくとも一部に抗菌処理が内部に施している構成になっているため、いつまでも清潔な状態で使用できる。
【００２４】
本発明の天井埋め込み型空気調和機における吸引ダクト７、吸引ダクト８、送風機９、ごみ収納部１０は、パネル１内のフィルタ２の外側スペースに設けられているため、最小限の通風抵抗に抑えることができ、送風性能に影響せず、かつ、パネル１および本体１２の寸法も大きくしなくても良い構成になっている。なおこのごみ除去手段であるシステム（吸引ダクト７，８、送風機９、ごみ収納部１０）は、熱交換器１１がある本体１２側に設けられても良い。
【００２５】
【発明の効果】
上記から明らかなように、本願発明によれば、フィルタ上のごみを自動的に清潔出来るようにし、かつそのごみ除去手段であるシステムを低通風抵抗かつコンパクトに構成した天井埋め込み型空気調和機となる。
【図面の簡単な説明】
【図１】本発明の一実施例の自動フィルタ清掃装置を示す図
【図２】図１のＡ−Ａ断面を含めた天井埋め込み型空気調和機の概略断面図
【図３】従来の壁掛け型空気調和機の断面図
【図４】従来の天井埋め込み型空気調和機の断面図
【符号の説明】
１  パネル
２  エアフィルタ
３  ごみ吸引部
４  レール
５  ブラシ
６  ノズル穴
７、８  吸引ダクト
９  送風機
１０  ごみ収納部
【図１】
2004340507.tif 000003
【図２】
2004340507.tif 000004
【図３】
2004340507.tif 000005
【図４】
2004340507.tif 000006